(57)【要約】【課題】抜け止め具を外すことなく蝶番ピンの装脱ができボデー蝶番部と扉蝶番部のヒンジ結合と分離ができる蝶番を提供する。【解決手段】ボデー蝶番部１の軸筒部１２と扉蝶番部２の軸筒部２２に挿通してヒンジ結合する蝶番ピン３を、基端にピン頭部３１を形成するとももに先端に近い先方部の周縁に環状溝３２を形成したものとし、該蝶番ピン３の環状溝３２に前記ボデー蝶番部１又は扉蝶番部２に取り付けた抜け止め弾性部材４を介入させる。この抜け止め弾性部材４は通常使用時に加わる力では蝶番ピン３の抜け止めをするが、弾性変形するので蝶番ピン３に軸方向の強引な力を加えることにより環状溝３２から離脱するので蝶番ピン３を引き抜きボデー蝶番部１と扉蝶番部２とを分離ができるものである。【選択図】　　図１
2004107888.tif 000002
【特許請求の範囲】
【請求項１】
ボデー蝶番部の軸筒部と扉蝶番部の軸筒部に挿通してヒンジ結合する蝶番ピンを、基端にピン頭部を形成するとともに先端に近い先方部の周縁に環状溝を形成したものとし、該蝶番ピンの環状溝に前記ボデー蝶番部又は扉蝶番部に取り付けた抜け止め弾性部材を介入させたことを特徴とする蝶番。
【請求項２】
抜け止め弾性部材をＯリング状に形成して、このＯリング状の抜け止め弾性部材をボデー蝶番部又は扉蝶番部に設けた係止凹部付きの引掛片に嵌合して取り付けた請求項１に記載の蝶番。
【発明の詳細な説明】
【０００１】
【発明の属する技術分野】
本発明は、例えば電気・電子機器収納用箱等の箱類において、箱本体に扉をヒンジ結合して取り付ける蝶番に関するものである。
【０００２】
【従来の技術】
【特許文献１】実開平５−４７２７７号公報
【特許文献２】実公平６−５０６２７号公報
【０００３】
電気・電子機器収納用箱等の箱類において、箱本体に扉をヒンジ結合して取り付ける蝶番は、扉は箱本体から分離するため蝶番ピンを引き抜くことができるようにするため、蝶番ピンの先端に着脱自在なＥ型止め輪等の抜け止め具を設けたものが普通である。
【０００４】
その代表的なものは上記の特許文献１に記載のように、蝶番ピンの抜け止めを蝶番ピンの先端側に形成した細頸部に抜け止め具を嵌合させたものや、特許文献２に記載のように、蝶番ピンの抜け止めを蝶番ピンの先端側に形成した環状溝にピンブッシュを嵌合させたものがある。
【０００５】
【発明が解決しようとする課題】
ところが、前記した特許文献のものは、電気・電子機器収納用箱等の二次加工等で扉を箱本体から外す際に蝶番ピンを抜き出すには抜け止め具（ピンブッシュ）を細頸部（環状溝）から外して行わなければならず、そのため、外した抜け止め具（ピンブッシュ）の紛失を防止するための保管が必要であった。そこで、抜け止め具を外すことなく扉を外す際に蝶番ピンを容易に抜き取りできることは勿論扉を取り付ける際にも軸筒部に挿通した蝶番ピンを容易に抜け止めできる蝶番ピンの抜け止め構造が待望されていた。
【０００６】
【課題を解決するための手段】
前記の課題を解決するためになされた本発明の蝶番は、ボデー蝶番部の軸筒部と扉蝶番部の軸筒部に挿通してヒンジ結合する蝶番ピンを、基端にピン頭部を形成するとともに先端に近い先方部の周縁に環状溝を形成したものとし、該蝶番ピンの環状溝に前記ボデー蝶番部又は扉蝶番部に取り付けた抜け止め弾性部材を介入させたことを特徴とするものを請求項１に記載の発明とし、この発明において、抜け止め弾性部材をＯリング状に形成して、このＯリング状の抜け止め弾性部材をボデー蝶番部又は扉蝶番部に設けた係止凹部付きの引掛片に嵌合して取り付けたものを請求項２に記載の発明とする。
【０００７】
本発明によれば、ボデー蝶番部の軸筒部と扉蝶番部の軸筒部に挿通してヒンジ結合する蝶番ピンは先方部の周縁に環状溝を形成したものであり、該環状溝には前記ボデー蝶番部又は扉蝶番部に取り付けた抜け止め弾性部材が介入しているので、蝶番ピンは抜け出ることのないものである。また、抜け止め弾性部材は強い力を受ければ変形するものであるから、ボデー蝶番部と扉蝶番部を分離して扉を外す際に蝶番ピンを強い力で引き抜けば環状溝の溝壁が抜け止め弾性部材を押しつぶして乗り越えて該蝶番ピンは軸筒部から引き出せることとなる。さらに、再び扉を箱本体に取り付けるには蝶番ピンを強い力で軸筒部に押し込み挿通すれば蝶番ピンの先端が抜け止め弾性部材を先端側に押して乗り越えて蝶番ピンの環状溝に抜け止め弾性部材が介入することとなり蝶番ピンが抜け出ることがないものである。
【０００８】
【発明の実施の形態】
次に、本発明の好ましい実施の形態を示す。
〔第１の実施形態〕
先ず、図１〜図５に示す本発明の第１の実施形態を説明する。１は図示を略した箱本体に取り付けるボデー取付部１１に軸筒部１２を設けたボデー蝶番部である。２はこれも図示を略した扉に取り付ける扉取付部２１に軸筒部２２を設けた扉蝶番部である。このボデー蝶番部１と扉蝶番部２はそれぞれの軸筒部１２、２２を一軸状に合致させたうえ蝶番ピン３を挿通してヒンジ結合をしている。なお、図示のものはボデー蝶番部１の軸筒部１２をボデー取付部１１の両側に形成して、扉蝶番部２の軸筒部２２を扉取付部２１の中央にボデー蝶番部１の両側の軸筒部１２、１２の間に介入する構成としているが、これと逆の構成であってもよいことは勿論である。また、ボディ蝶番部１と扉蝶番部２の軸筒部１２，２２は各々一つとしてもよい。
【０００９】
また、前記蝶番ピン３はその基端にピン頭部３１を形成し、先端に近い先方部の周縁に上広がり状の環状溝３２を形成したものである。そして、ボデー蝶番部１又は扉蝶番部２に該環状溝３２に介入する抜け止め弾性部材４を取り付けてある。すなわち、この図示の実施形態にあっては、前記したとおりボデー蝶番部１の両側に軸筒部１２、１２を形成したものであるから、蝶番ピン３の環状溝３２はボデー蝶番部１の軸筒部１２の先端側に臨むこととなるので抜け止め弾性部材４はボデー蝶番部１に取り付けてある。
【００１０】
なお、具体的にはボデー蝶番部１の両側の軸筒部１２、１２の先端側に該軸筒部１２を半割状にした樋状部１３、１３を連設して該樋状部１３の基端に対向した軸筒部１２の先端縁に先端面を傾斜させた引掛片１４を軸筒部１２に平行に張設し、蝶番ピン３の先端側が臨む引掛片１４にゴムよりなるリング状の抜け止め部材４を該引掛部１４の両側に設けた係止凹部１４ａ、１４ａに係合させたうえゴムの弾性を利用して嵌合して取り付けしている。また、扉蝶番部２の軸筒部２２が両側にある構成とした場合には抜け止め部材４が扉蝶番部２に取り付けられることは勿論である。
【００１１】
このように構成されたものは、ボデー蝶番部１と扉蝶番部２の軸筒部１２、２２、１２に挿通した蝶番ピン３の先方部の周縁に形成した環状溝３２には前記ボデー蝶番部１と扉蝶番部２の軸筒部のうち先端側すなわちボデー蝶番部１の軸筒部２２の先端側に取り付けた抜け止め弾性部材４が介入しているので、蝶番ピン１は抜け出ることなく的確にボデー蝶番部１と扉蝶番部２をヒンジ結合するものである。
【００１２】
また、抜け止め弾性部材４は強い力を受ければ弾性変形するものであるから、ボデー蝶番部１と扉蝶番部２を分離して扉を外す際に蝶番ピン３を強い力で引き抜けば環状溝３２の溝壁３２ａが抜け止め弾性部材４を押しつぶして乗り越えて該蝶番ピン３は軸筒部１２、２２、１２から引き出せることとなる。この場合に環状溝３２を上広がり状とすることにより溝壁３２ａがテーパ面となり引き抜きが容易なものとなる。なお、図示のように蝶番ピン３のピン頸部３３が挿通されているボデー蝶番部１の軸筒部１２の先端側を樋状部１３に形成しているため蝶番ピン３のピン頭部３１の下端面３１ａが樋状部１３から露出しているからマイナスドライバー等の先端を当て作業できるので外力を与えやすく、蝶番ピン３は容易に抜き取りができるものである。
【００１３】
また、蝶番ピン３を抜き出してボデー蝶番部１と扉蝶番部２を分離して扉を外した箱本体を塗装しなおす場合等に抜け止め弾性部材４を外す必要がある時には、軸筒部１２には蝶番ピン１が挿通されていないから該抜け止め弾性部材４を容易に取り外すことができるものである。そして、塗装が終了した箱本体と扉を再びヒンジ結合するには抜け止め弾性部材４を軸筒部１２に取り付けて、扉蝶番部２の軸筒部２２をボデー蝶番部１の両軸筒部１２、１２の間に介入させて、次に、該ボデー蝶番部１の軸筒部２２から蝶番ピン３を打ち込めば蝶番ピン３の先端のテーパ面が抜け止め弾性部材４を弾性変形させて押しつぶして蝶番ピン３の先方部の周縁に形成した環状溝３２が抜け止め弾性部材４の位置に達したら該抜け止め弾性部材４が旧状に復帰して環状溝３２内に介入して蝶番ピン３が抜け止めされることとなる。
【００１４】
なお、抜け止め弾性部材４をＯリング状に形成して、このＯリング状の抜け止め弾性部材４をボデー蝶番部１又は扉蝶番部２すなわちボデー蝶番１の軸筒部１２に設けた係止凹部１４ａ付きの引掛片１４に嵌着して取り付けるものとすることにより、該抜け止め弾性部材４の取り付け取り外しが容易であるものである。また、図示のように引掛片１４の先端を傾斜させて係止凹部１４ａ、１４ａを前後に段違いに設けることにより抜け止め弾性部材４が蝶番ピン３の環状溝３２に対して斜め向きとなり、蝶番ピン３の軸筒部２２への挿脱が容易なものとなる。
【００１５】
〔第２の実施形態〕
続いて、図６〜図１１に示す本発明の第２の実施形態を説明する。この実施形態は前記第１の実施形態とは、抜け止め弾性部材４の取り付け方法が相違して他の構成は略同一であるからこの相違する部分を説明して他の説明は図に同符号を付して省略する。
【００１６】
すなわち、抜け止め弾性部材４を取り付けるボデー蝶番部１又は扉蝶番部２の一方である扉取付部２１の両側に軸筒部２２、２２を設けた扉蝶番部２の該扉取付部２１の先端に引掛片１４、１４をその一方の側端部１４ｂが軸筒部１２の端面に臨まるように折曲形成したうえ該引掛片１４の一方の側端部１４ｂに係止凹部１４ａを他方の側端部の基端に係止凹部１４ａを形成したものである。そして、蝶番ピン３の先端側が位置することとなる引掛片１４の一方の側端部１４ｂに形成した係止凹部１４ａと引掛片１４の他方の側端部の基端に形成した係止凹部１４ａにゴムよりなるリング状の抜け止め弾性部材４を嵌合して取り付けるものとしている。
【００１７】
このように構成されたものは、ゴムよりなるＯリング状の抜け止め弾性部材４を蝶番ピン３の先端側が位置することとなる引掛片１４の一方の側端部１４ｂに形成した係止凹部１４ａと引掛片１４の他方の側端部の基端に形成した係止凹部１４ａに嵌合して取り付けたものであるから、該Ｏリング状の抜け止め弾性部材４は側端部１４ｂに密接することとなる長手方向の端部が蝶番ピン３の環状溝部３２に介入することとなるので該蝶番ピン３を引き抜きの際に引掛片１４から離脱する虞がないものである。また、該Ｏリング状の抜け止め弾性部材４は蝶番ピン３の引き抜き方向に対して直角方向で引掛片１４に嵌合されているので、Ｏリング状の抜け止め弾性部材４に強い力が加わっても外れることがないものである。
【００１８】
なお、図示のように扉蝶番部２の扉取付部２１の両側の先端に引掛片１４、１４を折曲形成したものとして、一方の引掛片１４にＯリング状の抜け止め弾性部材４を嵌合して他方の引掛片１４を蝶番ピン３のピン頭部３１の係止部ととすることにより、ピン頭部３１の下端面３１ａが露出しているのでマイナスドライバー等の先端を当て作業できるので蝶番ピン３の引き抜き作業が容易なものとなる。
【００１９】
【発明の効果】
以上に説明したように、本発明の蝶番ピンの抜け止め構造は、ボデー蝶番部と扉蝶番部の軸筒部に挿通した蝶番ピンの先方部の周縁に形成した環状溝には抜け止め弾性部材が介入しているので、蝶番ピンは抜け出ることなく的確にボデー蝶番部と扉蝶番部をヒンジ結合するものである。そして、抜け止め弾性部材は強い力を受ければ弾性変形するものであるから、ボデー蝶番部と扉蝶番部を分離して扉を外す際に蝶番ピンを強い力で引き抜けば環状溝の溝壁が抜け止め弾性部材を押しつぶして乗り越えて該蝶番ピンは軸筒部から引き出せることとなるので抜け止め弾性部材を外すことなく蝶番ピンの装脱ができるものである。
よって、本発明は従来の蝶番ピンの抜け止め構造の問題点を解決したもので、業界にもたらす益大なものである。
【図面の簡単な説明】
【図１】本発明の第１の実施形態を示す斜視図である。
【図２】本発明の第１の実施形態を分解して示す斜視図である。
【図３】本発明の第１の実施形態の蝶番ピンとボデー蝶番部の関係を示す図であり、（Ａ）は全体図、（Ｂ）は蝶番ピンの先端側の拡大図、（Ｃ）は蝶番ピンのピン頭部側の拡大図。
【図４】本発明の第１の実施形態を示す正面図である。
【図５】図４のＡ−Ａ断面図である。
【図６】本発明の第２の実施形態を示す斜視図である。
【図７】本発明の第２の実施形態を分解して示す斜視図である。
【図８】本発明の第２の実施形態の蝶番ピンと扉蝶番部の関係を示す図であり、（Ａ）は全体図、（Ｂ）は蝶番ピンの先端側の拡大図、（Ｃ）は蝶番ピンのピン頭部側の拡大図。
【図９】本発明の第２の実施形態を示す正面図である。
【図１０】本発明の第２の実施形態を示す底面図である。
【図１１】図１０のＢ−Ｂ断面図である。
【符号の説明】
１　ボデー蝶番部
１２　軸筒部
１４　引掛部
１４ａ　　係止凹部
２　扉蝶番部
２２　軸筒部
３　蝶番ピン
３１　ピン頭部
３２　環状溝
【図１】
2004107888.tif 000003
【図２】
2004107888.tif 000004
【図３】
2004107888.tif 000005
【図４】
2004107888.tif 000006
【図５】
2004107888.tif 000007
【図６】
2004107888.tif 000008
【図７】
2004107888.tif 000009
【図８】
2004107888.tif 000010
【図９】
2004107888.tif 000011
【図１０】
2004107888.tif 000012
【図１１】
2004107888.tif 000013